(57)【要約】【課題】組立箱用紙板２０を組み立てるだけで、成型、補強した組立箱を構成できる。【解決手段】外蓋板１の一側に、側板片３、側板片３ａ、内蓋板１ａ、側板片３ｂを順に連設する。外蓋板１の対向他側に側板片３ｃ、外底板４を、内底板４ａを順に連設する。外蓋板１の左右へ三角片６、三角片６ａを順に連設し、三角片６と側板３との間に連結片８を連結する。外底板４の左右へ三角片９、９ａを順に連設し、側板片３ｃと三角片９との間に連結片１１を連結する。三角片６ａ、９ａへ挿入片１４、１５、下敷片１３を夫々連設する。以上のようにして形成した組立箱用紙板２０を構成する。組立箱用紙板２０は、三角片６、６ａ、三角片９、９ａを重ねて三角板とし、側板片３、３ａを重ねて側板とし、側板片３ｂ、３ｃを重ねて側板とする。下敷片１３を挟んで内外底板４ａ、４を重ね、内外蓋板１ａ、１を重ねて、夫々底板、蓋板となる組立箱を構成する。【選択図】図１
0003123403.tif 000002
【実用新案登録請求の範囲】
【請求項１】
以下のように構成したことを特徴とする組立箱用紙板。
（１）  外第一基板１の一側に折目線２、２ａ、２ｂを介して側板片３、３ａを順次連設し、前記折目線２ｂを介し、内第一基板１ａを連設し、内第一基板１ａに折目線２ｃを介し側板片３ｂを連設する。
（２）前記外第一基板１の対向他側に折目線２ｄを介して側板片３ｃを連設し、側板片３ｃに折目線２ｅを介して外第二基板４を連設し、外第二基板４に折目線２ｆを介して内第二基板４ａを連設する。
（３）前記外第一基板１の左右へ折目線５、５を介して三角片６、６を連設し、三角片６、６へ折目線５ａ、５ａを介して三角片６ａ、６ａを連設し、前記側板片３の折目線７と、三角片６の折目線７ａとの間に、折目線７ｂを有する連結片８を夫々連結する。
（４）前記外第二基板４の左右へ折目線２１、２１を介して三角片９、９を連設し、三角片９、９へ折目線２１ａ、２１ａを介して三角片９ａ、９ａを連設し、前記側板片３ｃの両側へ折目線１０、１０と、三角片９、９の折目線１０ａ、１０ａとの間に、折目線１０ｂを有する連結片１１を連結する。
（５）前記三角片６ａ、６ａ及び９ａ、９ａへ折目線５ｂ、５ｂ及び２１ｂ、２１ｂを介して挿入片１４、１５を夫々連設した。
【請求項２】
以下のように構成したことを特徴とする組立箱用紙板。
（１）  外第一基板１の一側に折目線２、２ａ、２ｂを介して側板片３、３ａを順次連設し、前記折目線２ｂを介し、内第一基板１ａを連設し、内第一基板１ａに折目線２ｃを介し側板片３ｂを連設する。
（２）前記外第一基板１の対向他側に折目線２ｄを介して側板片３ｃを連設し、側板片３ｃに折目線２ｅを介して外第二基板４を連設し、外第二基板４に折目線２ｆを介して内第二基板４ａを連設する。
（３）前記外第一基板１の左右へ折目線５、５を介して、突片を連結する。
（４）前記外第二基板４の左右へ折目線２１、２１を介して三角片９、９を連設し、三角片９、９へ折目線２１ａ、２１ａを介して三角片９ａ、９ａを連設し、前記側板片３ｃの両側へ折目線１０、１０と、三角片９、９の折目線１０ａ、１０ａとの間に、折目線１０ｂを有する連結片１１を連結する。
（５）前記三角片９ａ、９ａへ折目線２１ｂ、２１ｂを介して挿入片１５を夫々連設した。
【請求項３】
以下のように構成したことを特徴とする組立箱用紙板。
（１）  外第一基板１の一側に折目線２、２ａ、２ｂを介して側板片３、３ａを順次連設し、前記折目線２ｂを介し、内第一基板１ａを連設し、内第一基板１ａに折目線２ｃを介し側板片３ｂを連設する。
（２）前記外第一基板１の対向他側に折目線２ｄを介して側板片３ｃを連設し、側板片３ｃに折目線２ｅを介して外第二基板４を連設し、外第二基板４に折目線２ｆを介して内第二基板４ａを連設する。
（３）前記外第一基板１の左右へ折目線５、５を介して三角片６、６を連設し、三角片６、６へ折目線５ａ、５ａを介して三角片６ａ、６ａを連設し、前記側板片３の折目線７と、三角片６の折目線７ａとの間に、折目線７ｂを有する連結片８を連結する。
（４）前記外第二基板４の左右へ折目線２１、２１を介して、突片を連設する。
（５）前記三角片６ａ、６ａへ折目線５ｂ、５ｂを介して挿入片１４を夫々連設した。
【請求項４】
「三角片６ａ、６ａ」及び／又は「三角片９ａ、９ａ」へ、折目線１２、１２を介して下敷片１３、１３を夫々連設したことを特徴とする請求項１〜３のいずれか１項に記載の組立箱用紙板。
【請求項５】
請求項１〜４のいずれか１項に記載の組立箱用紙板を用い、以下のように組み立てて構成したことを特徴とする組立箱。
（１）外第一基板１と内第一基板１ａとを重ね合わせて第一基板とすると共に、外第二基板４と内第二基板４ａとを重ね合わせで第二基板とする。
（２）側板片３ａと側板片３とを直立して重ねて第一側板とすると共に、側板片３ｂと側板片３ｃとを直立して重ねて第二側板とする。
（３）「三角片６及び三角片６ａを組み立てて第一三角板とする」及び／又は「三角片９及び三角片９ａを組み立てて第二三角板とする」
【請求項６】
第一基板又は第二基板に内箱を固定して構成したことを特徴とする請求項５記載の組立箱。
【請求項７】
以下のように構成したことを特徴とする請求項６記載の組立箱。
（１）内箱の外側壁に模様及び／又は色彩を形成する。
（２）第一三角板及び／又は第二三角板に切込みを形成し、前記第一基板と第二基板とを閉じた状態で、前記内箱の外側壁の「模様及び／又は色彩」を前記三角側板の前記切込みから透視できるように前記切込みを形成した。
【考案の詳細な説明】
【技術分野】
【０００１】
この考案は、一枚の紙板を組み立てて箱を構成するための組立箱用紙板及び組立用紙板を使って組立てた組立箱に関する。
【背景技術】
【０００２】
従来一枚の紙板を底板、側板及び蓋板にする組立箱用紙板及びこれを用いた折畳箱は多数知られている。
【０００３】
また箱と蓋の合せ目を斜めに形成した紙箱も提案されている。
【特許文献１】実公昭５８−５２２１３
【特許文献２】実公昭６３−１８５７０
【特許文献３】実公平２−４２５８２
【考案の開示】
【考案が解決しようとする課題】
【０００４】
前記従来知られている折畳紙箱は、底板が一重である為に、重量物に耐え得ない問題点があった（特許文献１、２、３）。
【０００５】
また包装箱に印刷されることは普通であるが、箱壁の形状（例えば孔）によって立体模様とし、又は内箱との関連によって、内外異なる色彩模様とするなどの提案はなかった。
【０００６】
前記のように、一枚の紙板から折畳む為に、重量に対する配慮が欠けたり、立体的な意匠を構成できる工夫に欠け、バリエーション豊かな組立箱を製造できないなどの問題点があった。
【課題を解決するための手段】
【０００７】
この考案は、第一基板と第二基板、第一側板と第二側板とを夫々二重にして、強度を増強すると共に、三角板を形成したので、前記従来の問題点を解決したのである。
【０００８】
即ちこの考案は、以下のように構成したことを特徴とする組立箱用紙板である。  
（１）  外第一基板１の一側に折目線２、２ａ、２ｂを介して側板片３、３ａを順次連設し、前記折目線２ｂを介し、内第一基板１ａを連設し、内第一基板１ａに折目線２ｃを介し側板片３ｂを連設する。  
（２）前記外第一基板１の対向他側に折目線２ｄを介して側板片３ｃを連設し、側板片３ｃに折目線２ｅを介して外第二基板４を連設し、外第二基板４に折目線２ｆを介して内第二基板４ａを連設する。  
（３）前記外第一基板１の左右へ折目線５、５を介して三角片６、６を連設し、三角片６、６へ折目線５ａ、５ａを介して三角片６ａ、６ａを連設し、前記側板片３の折目線７と、三角片６の折目線７ａとの間に、折目線７ｂを有する連結片８を夫々連結する。  
（４）前記外第二基板４の左右へ折目線２１、２１を介して三角片９、９を連設し、三角片９、９へ折目線２１ａ、２１ａを介して三角片９ａ、９ａを連設し、前記側板片３ｃの両側へ折目線１０、１０と、三角片９、９の折目線１０ａ、１０ａとの間に、折目線１０ｂを有する連結片１１を連結する。  
（５）前記三角片６ａ、６ａ及び９ａ、９ａへ折目線５ｂ、５ｂ及び２１ｂ、２１ｂを介して挿入片１４、１５を夫々連設した。
【０００９】
また、他の発明は、以下のように構成したことを特徴とする組立箱用紙板である。  
（１）  外第一基板１の一側に折目線２、２ａ、２ｂを介して側板片３、３ａを順次連設し、前記折目線２ｂを介し、内第一基板１ａを連設し、内第一基板１ａに折目線２ｃを介し側板片３ｂを連設する。  
（２）前記外第一基板１の対向他側に折目線２ｄを介して側板片３ｃを連設し、側板片３ｃに折目線２ｅを介して外第二基板４を連設し、外第二基板４に折目線２ｆを介して内第二基板４ａを連設する。  
（３）前記外第一基板１の左右へ折目線５、５を介して、突片を連結する。  
（４）前記外第二基板４の左右へ折目線２１、２１を介して三角片９、９を連設し、三角片９、９へ折目線２１ａ、２１ａを介して三角片９ａ、９ａを連設し、前記側板片３ｃの両側へ折目線１０、１０と、三角片９、９の折目線１０ａ、１０ａとの間に、折目線１０ｂを有する連結片１１を連結する。  
（５）前記三角片９ａ、９ａへ折目線２１ｂ、２１ｂを介して挿入片１５を夫々連設した。
【００１０】
また、他の発明は、以下のように構成したことを特徴とする組立箱用紙板である。  
（１）  外第一基板１の一側に折目線２、２ａ、２ｂを介して側板片３、３ａを順次連設し、前記折目線２ｂを介し、内第一基板１ａを連設し、内第一基板１ａに折目線２ｃを介し側板片３ｂを連設する。  
（２）前記外第一基板１の対向他側に折目線２ｄを介して側板片３ｃを連設し、側板片３ｃに折目線２ｅを介して外第二基板４を連設し、外第二基板４に折目線２ｆを介して内第二基板４ａを連設する。  
（３）前記外第一基板１の左右へ折目線５、５を介して三角片６、６を連設し、三角片６、６へ折目線５ａ、５ａを介して三角片６ａ、６ａを連設し、前記側板片３の折目線７と、三角片６の折目線７ａとの間に、折目線７ｂを有する連結片８を連結する。  
（４）前記外第二基板４の左右へ折目線２１、２１を介して、突片を連設する。  
（５）前記三角片６ａ、６ａへ折目線５ｂ、５ｂを介して挿入片１４を夫々連設した。
【００１１】
また、前記において、「三角片６ａ、６ａ」及び／又は「三角片９ａ、９ａ」へ、折目線１２、１２を介して下敷片１３、１３を夫々連設したことを特徴とする組立箱用紙板である。
【００１２】
また、他の発明は、前記各組立箱用紙板を用い、以下のように組み立てて構成したことを特徴とする組立箱である。  
（１）外第一基板１と内第一基板１ａとを重ね合わせて第一基板とすると共に、外第二基板４と内第二基板４ａとを重ね合わせで第二基板とする。  
（２）側板片３ａと側板片３とを直立して重ねて第一側板とすると共に、側板片３ｂと側板片３ｃとを直立して重ねて第二側板とする。  
（３）「三角片６及び三角片６ａを組み立てて第一三角板とする」及び／又は「三角片９及び三角片９ａを組み立てて第二三角板とする」
【００１３】
また、前記において、第一基板又は第二基板に内箱を固定して構成したことを特徴とする組立箱である。また、前記において、以下のように構成したことを特徴とする組立箱である。  
（１）内箱の外側壁に模様及び／又は色彩を形成する。  
（２）第一三角板及び／又は第二三角板に切込みを形成し、前記第一基板と第二基板とを閉じた状態で、前記内箱の外側壁の「模様及び／又は色彩」を前記三角側板の前記切込みから透視できるように前記切込みを形成した。
【考案の効果】
【００１４】
この考案によれば、内外第一基板、内外第二基板を有するので、強度を増強する効果がある。また側板及び三角片を連結したので、強度増強と、組立後の保形的安定性が図られる効果がある。
【００１５】
前記考案において、外第一基板と、外第二基板とは、側板片を介して連結しているので、単なる二重板でなく、連結した二重板であり、強度を一層向上することができる。
【００１６】
次に、三角形の側板とすることによって、側板と各基板との連結が強化され、形態的意匠（立体意匠）を表現すると共に、内箱を用いるものにあっては、外箱と内箱の連繋によって立体意匠を色彩、模様にまで拡げた効果がある。
【００１７】
また別製の内箱を組み合せる場合には、内箱と外箱との紙材条件（色彩、紙質、厚さなど）を自由に選択できると共に、強度上の選定も自由であるから、外箱の要件が緩和される。
【００１８】
また下敷片を持たせることにより、三角片による側板の形状保持を安定化することができる。更に三角片と側板との連結によって側板同士の連繋が確実となり、箱の強度を向上させることができる。
【考案を実施するための最良の形態】
【００１９】
この考案の実施態様を図面に基づいて説明する。この実施態様は、第一基板を蓋板、第二基板を底板とした実施態様である。
【００２０】
１．組立箱用紙板２０の構成
【００２１】
（１）  組立てて重ねることにより、長方形の底板２８を構成する部材を、同一形状・大きさの外底板４、内底板４ａとする。底板２８に対応する蓋板２７を構成する部材を、同一形状・大きさの外蓋板１、内蓋板１ａとする。尚、底板２８及び蓋板２７は正方形でも良い。また、ここで、同一形状・大きさとは、例えば外底板４、内底板４ａを組み上げた際に、一体に重なり底板２８となる程度の内容であり、紙厚や折り方法などにより多少の寸法の相違もこの範囲に含まれる（以下、同様である）。
【００２２】
また、組立てて重ねることにより、底板２８と蓋板２７をつなぐ側板２４を構成する部材を同一形状・大きさの側板片３ｂ、３ｃとする。また、側板２４に対向する側板２３を構成する部材を同一形状・大きさの側板片３、３ａとする。
【００２３】
（２）  外蓋板１の一長辺側に、側板片３、側板片３ａ、内蓋板１ａ、側板片３ｂを順に連設する。外蓋板１と側板片３との境界を折目線２とし、側板片３ａと側板片３ａとの境界を折目線２ａとし、側板片３ａと内蓋板１ａとの境界を折目線２ｂとし、内蓋板１ａと側板片３ｂとの境界を折目線２ｃとする。側板片３ｂの折目線２ｃの対向他側は自由端となっている。
【００２４】
外蓋板１の他長辺側に、側板片３ｃ、外底板４、内底板４ａを順に連設する。外蓋板１と側板片３ｃとの境界を折目線２ｄとし、底板片３ｃと外底板４との境界を折目線２ｅとし、外底板４と内底板４ａの境界を折目線２ｆとする。
【００２５】
（３）  外蓋板１の各短辺側に、同一形状・大きさの三角片６を夫々連設し、各三角片６の他側に夫々三角片６ａを夫々連設する。外蓋板１と三角片６との境界を夫々折目線５、三角片６と三角片６ａの境界を夫々折目線５ａとする。
【００２６】
三角片６、６ａは同一形状の直角二等辺三角形で、折目線５ａを介して互いの斜辺を連設した形状となっている。また、三角片６の底辺部分が折目線５に位置し、斜辺部分が折目線５ａに位置し、高さに相当する部分の辺７ａが折目線２ａの延長線に一致している。
【００２７】
側板片３の両短辺側の辺７と、三角片６の辺７ａとを、連結片８で夫々連結する。連結片８は、側板片３の頂点から放射状に、折目線７ｂを形成し、連結片８を２つ折りにできるようになっている。また、辺７、辺７ａが夫々折目線７、折目線７ａを構成する。
【００２８】
また、両三角片６ａの底辺に相当する辺１２（折目線１２）に、小片状の下敷片１３、１３を連設する。また、両三角片６ａの高さに相当する辺５ｂ（折目線５ｂ）に、挿入片１４を連設する。
【００２９】
（４）（３）と同様にして、外底板４の各短辺側に、同一形状・大きさの三角片９を夫々連設し、各三角片９の他側に夫々三角片９ａを夫々連設する。外底板４と三角片９との境界を夫々折目線２１とし、三角片９と三角片９ａの境界を夫々折目線２１ａとする。
【００３０】
三角片９、９ａは、前記三角形６、６ａと同一形状の直角二等辺三角形で、折目線２１ａを介して互いの斜辺を連設した形状となっている。また、三角片９の底辺部分が折目線２１に位置し、斜辺部分が折目線２１ａに位置し、高さに相当する部分の辺１０ａが折目線２ｅの延長線に一致している。
【００３１】
側板片３ｃの両短辺側の辺１０と、三角片９の辺１０ａとを、連結片１１で夫々連結する。連結片１１は、側板片３ｃ頂点から放射状に、折目線１０ｂを形成し、連結片１１を２つ折りにできるようになっている。また、辺１０、辺１０ａが夫々折目線１０、折目線１０ａを構成する。
【００３２】
また、両三角片９ａの底辺に相当する辺１２（折目線１２）に、小片状の下敷片１３、１３を連設する。また、両三角片９ａの高さに相当する辺２１ｂ（折目線２１ｂ）に、挿入片１５を連設する。
【００３３】
（５）  以上のようにして、組立箱用紙板２０を構成する（図１）。前記における各折目線２〜２ｆ、５、５ａ、７〜７ｂ、１０〜１０ｂ、１２は、通常の要領により型押しして形成するので、強度上問題なく連結している。また一枚の紙板から一度の打抜形成することができる。
【００３４】
２．組立箱３０、３１の構成
【００３５】
続いて、この発明の組立箱３０、３１の実施態様を図２〜５に基づいて説明する。
【００３６】
（１）  折目線２ｃを山に、折目線２ｂを山折りし、折目線２ａを谷折りし、折目線２ｆを谷折りする。また、折目線５、５ａ、８、７ａを谷折りし、折目線５ｂ、１２を山折りし、折目線１０、１０ａ、２１、２１ａを谷折りする（図２、図３、図４（ａ））。
【００３７】
ここで、山折り及び谷折りは、図１の状態から図２、図３、図４（ａ）の状態に至るまでに曲げる方向を指す。従って、図４（ａ）の状態に組み上げた後で、更に曲げる方向や蝶番的に使用する縁の曲げる方向を指していない。
【００３８】
これにより、三角片６、６ａを重ねて直立させて三角板２５とすると共に、三角片９、９ａを重ねて直立させて三角板２６とする。また、三角片６ａ、６ａの下敷片１３、１３を外蓋片１に重ね、三角片９ａ、９ａの下敷片１３、１３を外底板４に重ねる（図２）。
【００３９】
また、側板片３と側板片３ａとを重ねて直立させ側板２３とすると共に、外蓋片１と内蓋片１ａとを重ねて蓋板２７し、側板片３ｂを直立させる（図３）。ここで、三角片６ｂ、６ｂの下敷片１３、１３は外蓋片１と内蓋片１ａとに挟まれ、また挿入片１４、折目線７ｂで２つ折りにされた連結片８は側板片３、３ａに挟まれるので、三角板２５、２５、側板２３が安定する。
【００４０】
また、内底板４ａを外底板４に重ねて、三角片９ａ、９ａの下敷片１３、１３を挟み、底板２８を形成する（図４（ａ））。
【００４１】
（２）  続いて、折目線７ｂを山折りとし、折目線２、２ａ、７、７ａを谷折りとする。また、折目線１０ｂを山折りとし、折目線２ｄ、２ｅを谷折りとする。
【００４２】
これにより、側板片３ｂと側板片３ｃとを重ねて直立させ側板２４とする（図４（ｂ））。この際、挿入片１５、折目線１０ｂで２つ折りにされた連結片１０は側板片３ｂ、３ｃに挟まれるので、三角板２６、２６、側板２４が安定する。
【００４３】
（３）  以上のようにして組立箱３０を構成する（図４（ｂ））。更に、組立箱３０の内底板４ａの上に、上方に開口して底部材１６ａがある内箱１６を固定して、組立箱３１を構成する（図４（ｂ）、図５（ａ））。内箱１６は従来知られている紙板から組立てるが、その構造や組立方法は任意であり、従来知られている構造・組立方法を採用することができる。この場合に、内箱１６は、内底板４ａ上へ載置できると共に、三角板２６、２６、側板２４の内側へ収まる。また、底板２８の折目線２ｆ側は、内箱１６から突出し、突出片２８ａを構成する（図５（ａ））。
【００４４】
この組立箱３１は、内箱１６に収容物を収容して、折目線２ｄ（２ｃ）を軸として、蓋板２７を内箱１６の開口を塞ぐように被せる（図５（ｂ））。この際、内箱１６の側部材１６ｂと側板２３とが接触するので、蓋板２７は確実に閉まる。
【００４５】
また、蓋板２７を開ける際には、側板２３と突出片２８ａに指をかけて、容易に開くことができる（図５（ａ））。
【００４６】
３．他の実施態様
【００４７】
（１）  前記実施態様において、  前記組立箱用紙板２０を組立箱３０に組み立てる順序は、上記例に限らず、任意である（図示していない）。例えば、内底板４ａ、外底板４の組立を先に行うことができる。
【００４８】
また、前記実施例において、重ねた各片は接着した方が、強度は増強できるので望ましいが、接着をしないこともできる。
【００４９】
（２）  また、前記実施態様において、組立箱３０に、内箱１６を固定したが、固定の方法は接着や凸片を設けて係止したり、固定する手段は任意である（図示していない）。また、内箱１６に代えて、底部材１６ａの無い格子状の仕切を、底板２８に設置して、組立箱を構成することもできる（図示していない）。また、内箱１６を使用せずに、組立箱３０のままで使用することもできる。
【００５０】
（３）  また、前記実施態様において、三角板２５、２６を安定させる為に、小片状の下敷片１３、１３を設けたが、他の構造とすることもできる。例えば、三角片６ａの折目線１２、１２の全長に亘り、切り込み孔１３ｂ、１３ｂを形成した下敷片１３とし、内蓋板１ａの自由端側の片（短辺）に、切り込み孔１３ｂに対応した突片１３ｃ、１３ｃを連設することもできる（図６）。また、この場合、更に三角片９ａの下敷片１３も同様の構造とし、内底板４ａの短辺に突片１３ｃを設けることもできる（図示していない）。
【００５１】
（４）  また、前記実施態様において、外底板４に三角片９、９ａを連設したが、三角片９、９ａを省略することもできる（図７、図８）。この場合、外底板の折目線２１、２１に台形の突片９ｃを連設し、台形の内底板４ａを形成する（図７）。この場合、外底板４に突片９ｃ、９ｃ及び内底板４ａを重ね、外底板４（内外板４ａ、突片９ｃ、９ｃ）に前記同様の内箱１６を固定して、組立箱３１を構成する（図８（ａ）（ｂ））。
【００５２】
また、この場合、内底板４ａは、前記同様で外底板４と同一形状の長方形の内底板４ａとすることもできる（図７鎖線図示４ａ）。
【００５３】
また、逆に、外底板４に三角片９、９ａを連設して、外蓋片１の三角片６、６ａを省略することもできる（図示していない）。
【００５４】
（５）  また、前記実施態様において、底板２８に内箱１６を固定したが、蓋板２７に底箱１６を固定することもできる（図９）。この実施態様は、第一基材を底板、第二基材を蓋板とした実施態様である。
【００５５】
また、この場合、三角板２５（三角片６、６ａ）の折目線５ａに対称にＶ状の切込み１７、１７を設けて、三角板２６（三角片９、９ａ）の折目線２１ａに同様にＶ状の切込み１７ａ、１７ａを設け、内箱の側部材に模様１９を形成することもできる（図１０（ｂ））。この場合、組立箱３１を閉じた場合、切込み１７、１７ａを合わせて菱形となるようにし、その菱形の孔１８から、内箱１６に設けた模様１９が透視できるようにしてある。この模様は任意の色彩、形状を有し、菱形孔１８と相俟って立体色彩模様を表示するものとする。前記立体色彩模様には、形状、色彩に限定はない。また、菱形形状に代えて、丸、四角、三角など孔の形状は任意である（図示していない）。また、切込み１７、切込み１７ａを揃えずに、ずらして形成し、また、形状も異なる形状とすることもできる（図示していない）。また、三角板２５、２６の一方に、切込み１７又は切込み１７ａを形成することもできる（図示していない）。
【００５６】
また、この場合、切込み１７、１７ａの形成は、組立箱３０を形成した後に形成し、あるいは、組立箱用紙板２０の状態で、予め形成しておくこともできる（図示していない）。
【００５７】
（６）  また、前記実施態様で、底板２８に内箱１６を固定した組立箱３１（図５、図８）においても、同様に、「三角板２５及び／又は三角板２６」に切込み１７、１７を形成することもできる（図示していない）。
【図面の簡単な説明】
【００５８】
【図１】この発明の組立箱用紙板の平面図である。
【図２】組立箱用紙板を組み立て途中の斜視図である。
【図３】同じく箱部を組み立て途中の斜視図である。
【図４】（ａ）は組み立て途中の斜視図で、（ｂ）は組立箱の斜視図である。
【図５】同じく内箱を収容した組立箱で、（ａ）は開蓋状態の斜視図、（ｂ）は閉蓋状態の斜視図である。
【図６】この発明の他の組立箱用紙板の平面図である。
【図７】同じく他の組立箱用紙板の平面図である。
【図８】図７の組立箱用紙板を組み立てた組立箱で（ａ）は構成を表し、（ｂ）は開蓋状態の組立箱の斜視図である。
【図９】この発明の他の組立箱で、（ａ）は開蓋状態の斜視図、（ｂ）は閉蓋状態の斜視図である。
【図１０】同じく他の組立箱で、（ａ）は開蓋状態の斜視図、（ｂ）は閉蓋状態の斜視図である。
【符号の説明】
【００５９】
１  外蓋板（外第一基板）
１ａ  内外板（内第一基板）
２、２ａ、２ｂ、２ｃ、２ｄ、２ｅ、５、５ａ、７、７ａ、７ｂ、１０、１０ａ、１０ｂ、１２、２１、２１ａ、２１ｂ  折目線
３、３ａ、３ｂ、３ｃ  側板片
４  外底板（外第二基板）
４ａ  内底板（内第二基板）
６、６ａ、９、９ａ  三角片
９ｃ  突片
１３  下敷片
１４、１５  挿入片
１６  内箱
１６ｂ  内箱の側部材（外側壁）
１７、１７ａ  切込み
１８  孔
２０  組立箱用紙板
２３、２４  側板
２５、２６  三角版
２７  蓋板（第一基板）
２８  底板（第二基板）
３０  組立箱
３１  組立箱
【図１】
0003123403.tif 000003
【図２】
0003123403.tif 000004
【図３】
0003123403.tif 000005
【図４】
0003123403.tif 000006
【図５】
0003123403.tif 000007
【図６】
0003123403.tif 000008
【図７】
0003123403.tif 000009
【図８】
0003123403.tif 000010
【図９】
0003123403.tif 000011
【図１０】
0003123403.tif 000012